(57)【要約】  患者イメージングシステムは、患者支持台と、円筒形磁石を包含するＭＲＩシステムと、リング内に装着された陽電子検出器を包含するＰＥＴシステムとを包含する。磁石は、台上に患者を受け入れるための円筒形ボアを画定しており、磁石は、長手方向の移動が可能なレール上に担持された旋回リング上で、縦軸を中心にして回転するように装着される。ＰＥＴリングは、長手方向に移動するようにボア内に装着される。磁石用のクエンチ管は、軸線にて回転ユニオンとともに旋回リングを通過する。遮蔽カバーは、固定された上部と、磁石とともに軸線を中心にして回転する下部とを包含する。磁石は、２部屋又は３部屋診察構成で構成されており、保持ベイは、磁石を収容しており、診察患者は、磁石が回転するときに磁石ベイと共働する３つの部屋に入れられる。
2009540882.tif 000002
【特許請求の範囲】
【請求項１】
患者の一部のスキャン画像を取得する装置であって、
患者支持台と、
患者の一部の画像を得るための磁気共鳴イメージングシステムと、を含み、
該磁気共鳴イメージングシステムは、
磁界を制御及び変化させるための制御システムと共に使用するための磁石と、
前記患者の一部に隣接して位置付けられるように構成されたＲＦプローブを包含する、磁界に反応して、患者の一部から核磁気共鳴信号を導き出し検出するための無線周波数伝送及び検出システムと、
検出した信号を復号化及び表示するためのコンピュータ及びディスプレイモニタと、
を含み、
前記磁石は、患者が台上で適所に位置付けられた状態で磁石の磁界内に横たわるように、患者の一部がボア内に配置されるように構成された円筒形であり、
該磁石は、縦軸を中心にして回転するように装着されている、装置。
【請求項２】
請求項１に記載の装置であって、前記磁石が、その軸線に沿って長手方向に移動可能である装置。
【請求項３】
請求項１又は２に記載の装置であって、前記磁石が、縦方向に移動可能である装置。
【請求項４】
請求項１〜３のいずれか一項に記載の装置であって、前記磁石が、縦軸を中心に１８０度回転可能である装置。
【請求項５】
請求項１〜４のいずれか一項に記載の装置であって、前記磁石が、該磁石の前端を患者に隣接した位置に向って移動させるために、縦軸を中心に回転可能である装置。
【請求項６】
請求項１〜５のいずれか一項に記載の装置であって、前記磁石が、レール上に担持された支持体上で長手方向に移動可能であり、該磁石の前面の向きを変えて、レールに沿って一方向又は他方向に面することができるように、該磁石を支持体に接続する装着リングが設けられた装置。
【請求項７】
請求項１〜６のいずれか一項に記載の装置であって、前記台が、患者が診察台に横たわる及びイメージングが実行される部屋内に延伸し得る前記磁石により担持された診察台である装置。
【請求項８】
請求項１〜７のいずれか一項に記載の装置であって、前記台が、患者が診察台に横たわる及びイメージングが実行される部屋内に延伸し得る前記磁石の相対運動のために部屋内の適所にとどまる外科用台である装置。
【請求項９】
請求項１〜８のいずれか一項に記載の装置であって、前記磁石が、３部屋診察構成で構成されており、中央磁石保持ベイが前記磁石を収容し、診察患者が、前記磁石のローテーションにより該磁石のベイとそれぞれ共働する前記３つの部屋で、準備するものである装置。
【請求項１０】
請求項９に記載の装置であって、前記部屋が、部屋への扉が開くときに、前記磁石保持ベイが該部屋の一部となるように構成されている装置。
【請求項１１】
請求項９又は１０に記載の装置であって、前記磁石が長手方向に移動せず、回転運動のみを行う装置。
【請求項１２】
請求項９、１０又は１１に記載の装置であって、前記磁石が、イメージングを実行するために患者が診察台に横たわっている部屋内に延伸し得る診察台を包含する装置。
【請求項１３】
請求項１〜１２のいずれか一項に記載の装置であって、磁石が、ＰＥＴイメージングシステムを担持している装置。
【請求項１４】
請求項１〜１３のいずれか一項に記載の装置であって、磁石が、リングの磁石効果が回転中に均質であるように、円形の旋回リング上に装着されている装置。
【請求項１５】
請求項１〜１４のいずれか一項に記載の装置であって、磁石が、回転前に格納位置に引き込まれるように構成された診察台を担持している装置。
【請求項１６】
請求項１〜１５のいずれか一項に記載の装置であって、磁石が、回転しないカバーセットの上部と、磁石と共に回転するカバーセットの下部とを包含する、遮蔽カバーセットを包含する装置。
【請求項１７】
請求項１〜１６のいずれか一項に記載の装置であって、液化ガスがオフの場合に冷却液を放出するためのクエンチ管が提供され、クエンチ管は、静止した部分と、磁石と共に回転する部分とを包含する装置。
【請求項１８】
請求項１７に記載の装置であって、磁石の回転軸線上にクエンチ管の回転ユニオンが提供される装置。
【請求項１９】
患者の一部のスキャン画像を得るための装置であって、
患者支持台と、
患者の一部の画像を得るための磁気共鳴イメージングシステムとを含み、磁気共鳴イメージングシステムは、
磁界を制御及び変化させるための制御システムと共に使用するための磁石と、患者の一部に隣接して位置付けられるように構成されたＲＦプローブを包含する、磁界に反応して、患者の一部から核磁気共鳴信号を導き出し検出するための無線周波数伝送及び検出システムと、検出した信号を復号化及び表示するためのコンピュータ及びディスプレイモニタとを含み、
磁石は、患者が台上で適所に位置付けられた状態で患者の一部が磁石の磁界内に横たわるように、患者の一部がボア内に配置されるように構成された円筒形ボアを画定しており、
磁石は、台に対して台の長手方向に水平に移動するように装着され、装着は、患者が台上で適所にとどまった状態で患者の一部が磁石の磁界内に配置される、磁石の第１位置を提供し、
陽電子放射断層撮影走査システム（ＰＥＴ）は、磁気共鳴イメージングシステムと連動して使用するために磁石上に装着される、装置。
【請求項２０】
請求項１９に記載の装置であって、ＰＥＴシステムが、磁石に対して移動可能である装置。
【請求項２１】
請求項１９又２０に記載の装置であって、ＰＥＴシステムが、磁石とともに共同で移動するために磁石上に装着される装置。
【請求項２２】
請求項１９〜２１のいずれか一項に記載の装置であって、磁石が縦方向に移動可能である装置。
【請求項２３】
請求項１９〜２２のいずれか一項に記載の装置であって、磁石が、縦軸を中心に１８０度回転可能である装置。
【請求項２４】
請求項１９〜２３のいずれか一項に記載の装置であって、ＰＥＴシステムが、磁石の視界がＰＥＴの視界と一致するように装着される装置。
【請求項２５】
請求項１９〜２４のいずれか一項に記載の装置であって、ＰＥＴシステムが、一方の端部にて磁石上に装着され、磁石の移動によって、ＰＥＴが患者の一部と位置合わせされた位置に向って担持されるようになっている装置。
【請求項２６】
請求項１９〜２５のいずれか一項に記載の装置であって、ＰＥＴが、光信号をそのシンチレーション検出器から外部制御システムへ運ぶために、ボアに沿って延びる光ファイバーを包含する装置。
【請求項２７】
請求項１９〜２６のいずれか一項に記載の装置であって、ＰＥＴが、光信号をそのシンチレーション検出器から外部制御システムへ運ぶために、無線通信システムを包含する装置。
【発明の詳細な説明】
【技術分野】
【０００１】
本発明は、患者の医療用スキャン画像を得るための移動可能な装置に関する。この装置は、外科的イメージング用途のために、ＰＥＴ及びＭＲＩ検出性能の両方を結合し連続化する可能性を提供してもよい。この装置は、システムの実用性及び有効性を最適化するために、並進方向及び回転方向の両方向への移動を提供してもよい。
【背景技術】
【０００２】
ＰＥＴ（陽電子放射断層撮影）及びＭＲＩ（磁気共鳴イメージング）はどちらも、身体を撮像するために使用できる既知の手法である。ＰＥＴの場合、陽電子放射原子を有する分子を含有する溶液が、身体に注入されるか又は取り入れられる。それ故に、いったん陽電子検出器の幾何学的配置が患者の周りに適切に位置決めされると、またいったんソフトウェアが使用されて陽電子放射の位置を同定すると、陽電子放射分子の位置及び濃度を検出することができる。使用される主要な分子の１つは、グルコースの誘導体であり、誘導体はグルコースとして細胞に入ることができるがグルコースとして新陳代謝されないので、身体内の主要な活動区域を検出することができる。分子が癌に対して特異的である場合、このイメージング手法は、腫瘍の位置を検出するために利用できる。しかしながら、ＰＥＴは、陽電子放射分子の位置に関する情報のみを提供し、いかなる解剖学的情報をも提供しない。ＰＥＴ画像は、患者の生体構造に位置合わせする必要があり、この点で、ＭＲＩが非常に有用であり得る。
【０００３】
ＭＲＩについて、高磁界磁石、典型的には超伝導磁石は（ドーナツのような）トーラス構成で構成され、患者が磁石内に横たわった状態で、パルス化し連続化した磁界及び電磁界は、身体を精査して軟組織の画像を生成し、これによって熟練の放射線専門医は、患者の生体構造を高い確率で決定することが可能になる。異なる軟組織種類の間のさらに良好なコントラストを提供するために、ＭＲＩは、時には造影剤を使用して実行される。ＭＲＩ手法は、多くの腫瘍の解剖学的部位を検出することを非常に得意としているが、すべての腫瘍を得意とするとは限らない。
【０００４】
これら２つのイメージング手法（ＭＲＩ及びＰＥＴ）は、磁界による影響を受けない方法でＰＥＴ検出技術を構築できる点において、また、ＰＥＴ手法による影響を受けないようにＭＲＩシステムを構築できる点において、直交する手法である。このため、統合型ＰＥＴ及びＭＲＩ検出器システムを構築できる場合、２つのシステムは、身体内部の腫瘍位置の改善された検出及びより完全な検出を可能にするために、空間及び時間の両方において平行な方式又は殆ど平行な方式で操作することができる。
【０００５】
ＰＥＴ及びＭＲＩは、いずれか単独の手法よりもはるかに多くの情報を臨床医に提供するために、解剖学的画像と組み合わされた機能的画像を得るために使用できる。例えば、脳内の特定のレセプターのみと相互作用する陽電子放射分子を発現することができ、それ故、これらのレセプターをＰＥＴにより観察した後、それらの脳内の実際の位置をＭＲＩによって決定することができる。
【０００６】
またＰＥＴイメージングは、利用可能な一般知識並びにＰＥＴ検出器の特定の構成に関する多くの特許を有する周知の確立された手法である。
【０００７】
米国特許第５，９９８，７９２号（１９９９年）は、可変的な検出器の幾何学的配置について論じており、ＰＥＴイメージングについて以下のように記載している。
核イメージングにおいて、ｓｕｐ．９９ｍＴｃ又は．ｓｕｐ．２０１Ｔ１などの放射性医薬品が患者の身体内に導入される。放射性医薬品が崩壊するとき、ガンマ線が発生する。これらのガンマ線が検出され、臨床的に有用な画像を構築するために使用される。
【０００８】
陽電子放射断層撮影（ＰＥＴ）は、核医学の一分野であり、ｓｕｐ．１８Ｆ−フルオロデオキシグルコース（ＦＤＧ）などの陽電子放射の放射性医薬品が患者の身体内に導入される。それぞれの放射された陽電子は、消滅事象として既知の事象の際に電子と反応し、それによって、一対の５１１ｋｅＶガンマ線を発生する。ガンマ線は、およそ１８０度離れた方向に、即ち、反対方向に放射される。
【０００９】
一対の検出器は、それぞれのガンマ線の位置及びエネルギーの位置合わせを行い、それによって、消滅事象、故に陽電子源の位置に関する情報を提供する。ガンマ線が反対方向に進むので、陽電子消滅は、検出されたガンマ線をつなぐ一致線に沿って発生したと言われている。多数のこのような事象が収集され、臨床的に有用な画像を再構築するために使用される。ＰＥＴイメージングにおいて、様々な検出器システムが使用されている。ＰＥＴシステムの１つの部類は、非回転システムと呼ぶことができる。最も一般的な非回転システムは、患者の周りの円内に配置された検出器要素の１つ以上のリングを有する。他の非回転システムとしては、円筒形シェル検出器システム及び六角形マルチプレートシステムが挙げられる。これらのシステムのそれぞれにおいて、検出器は、走査されるべき物体を包囲するか又は殆ど完全に包囲する。スライス内部の実質的に全ての横断角で一致事象を検出することができるので、システム感度は、横断スライスの位置間で大幅に異なることがない。
【００１０】
ＰＥＴシステムの別の部類は、回転システムと呼ぶことができる。一致検出性能を有する部分リングシステム、及び２連又は３連ヘッドガンマカメラシステムは、このカテゴリに該当する。１つのタイプの部分リングシステムとしては、概ね円形の回転するガントリーに配置された、放射線感受性検出器の２つの円弧が挙げられる。放射線検出器の円弧は、それらの中心が僅かな角度でオフセットした状態で概ね正反対であるように、互いに対して固定される。回転システムは、部分的な横角度範囲を有しており、完全な断層撮影画像を再構築するのに必要な横角度のサンプルを取るために、検出器を患者の周りで回転させる（又は逆もまた同様）必要がある。したがって、これらのシステムの感度は、検出器の視野にわたって変化する。一致データの処理中に、この感度の変化を考慮に入れる。
【００１１】
このＰＥＴの回転及び幾何学的配置の説明は、ＰＥＴ／ＭＲＩを使用した統合型スキャナーではなく、ＰＥＴ検出器自体を指すものである。米国特許第６，６７４，０８３号（タナカ（Ｔａｎａｋａ）、２００４年１月６日発行）は、陽電子放射断層撮影装置について論じている。
【００１２】
論文「脳のＰＥＴイメージング技術の新たな課題」（カレント・メディカル・イメージング・レビューズ（Ｃｕｒｒｅｎｔ  Ｍｅｄｉｃａｌ  Ｉｍａｇｉｎｇ  Ｒｅｖｉｅｗｓ）に記載、２００６、２、３〜１３、ハビブ・ザイディ（Ｈａｂｉｂ  Ｚａｉｄｉ）及びマリールイズ・モンタンドン（ＭａｒｉｅＬｏｕｉｓｅ  Ｍｏｎｔａｎｄｏｎ）著）は、複合型ＰＥＴ／ＭＲＩスキャナーが可能なプロトタイプ構造について論証している。「ＰＥＴ／ＭＲＩを用いた全身イメージング」（欧州医学研究ジャーナル、２００４年６月３０日、３０９〜３１２ページ）は、ＰＥＴ及びＭＲＩを組合わせて単一のスキャナーとすることに関して、
「これら２つの優れた画像診断モダリティを組み合わせて単一スキャナーとすることは、単独のＰＥＴ及びＭＲＩと比較して幾つかの利点を提供する」と述べている。
【００１３】
「同時的ＰＥＴ及びＮＭＲ」（英国放射線医学ジャーナル、７５（２００２）、Ｓ５３〜Ｓ５９）には、ＭＲ互換性である小型プロトタイプＰＥＴスキャナーが記載されている。この場合、４メートルの光ファイバーの断片を使用して、ボアの高磁界領域から除去されたシンチレーション信号を光電子増倍管に移送する。時間的及び空間的相関関係の両方に関する潜在的利点が論じられている。この文書に示されているように、「この特別号（参考文献２、３）の他の箇所に記載された複合型ＰＥＴ及びＣＴシステムに関して採用される手法と同様に、単一のガントリーにＰＥＴ及びＭＲスキャナーを組み込むことにより、ＰＥＴ及びＭＲを取得する間の対象の動き及び組織の変形を絶対最小値にとどめる」。
【００１４】
サイモン・チェリー（Ｓｉｍｏｎ  Ｃｈｅｒｒｙ）を著者として含むその他の論文は、「同時的ＰＥＴ及びＭＲイメージング」（Ｙシャオ（Ｙ．  Ｓｈａｏ）ら、Ｐｈｙｓ．  Ｍｅｄ．  Ｂｉｏｌ．、１９９７年１０月、４２（１０）、１９６５〜７０）；「１．５Ｔの同時的陽電子放射断層撮影及びＭＲイメージング）」（Ｋ．ファラハニ（Ｋ．  Ｆａｒａｈａｎｉ）ら、Ｊ．  Ｍａｇｎ．  Ｒｅｓ．Ｉｍａｇｉｎｇ、１９９９年３月、９（３）：４９７〜５００）、「プロトタイプＭＲ互換性ＰＥＴスキャナーを使用した同時的ＰＥＴ及びＭＲイメージングにおけるアーチファクトの研究」（ＲＢスレーツ（ＲＢ  Ｓｌａｔｅｓ）ら、Ｐｈｙｓ．  Ｍｅｄ．  Ｂｉｏｌ．、１９９９年８月；４４（８）：２０１５〜２７）である。
【００１５】
その他の刊行物は、「ＭＲ−ＰＥＴ：結合機能、生体構造など」（Ｍ．シュヴァイガー（Ｍ．  Ｓｃｈｗａｉｇｅｒ）ら、２００５年９月、メディカルソリューションズ（Ｍｅｄｉｃａｌ  Ｓｏｌｕｔｉｏｎｓ）、ｐｐ２５〜３０）である。この刊行物は、改質されたボアライナーアセンブリを有するマグネトム・エスプリ（Ｍａｇｎｅｔｏｍ  Ｅｓｐｒｅｅ）を示す簡単な図を提供している。このボアライナーアセンブリでは、ＲＦボディコイルが示されており、その上にＰＥＴカメラ要素がある。図は、磁石内に挿入したリングを用いてＰＥＴが取得され、同時取得が可能であることを示している。
【００１６】
米国特許第４，９３９，４６４号（ハマー（Ｈａｍｍｅｒ））（１９９０年７月３日発行）では、シンチレーション事象を磁石外部に伝達するためにライトパイプを使用した、ＮＭＲ／ＰＥＴスキャナーの組み合わせが開示されている。ＰＥＴスキャナーリングは、磁石ボア内に装着され、磁石ボアに対して移動可能である。
【００１７】
米国特許第６，９４６，８４１号（ルバショフ（Ｒｕｂａｓｈｏｖ）、２００５年９月２０日発行）では、乳房組織用のＮＭＲ／ＰＥＴスキャナーの組み合わせが開示されており、この場合、ＰＥＴスキャナーリングは、磁石ボアの外側に装着され、患者は、２箇所の走査位置の間を移動する。
【００１８】
米国特許第５，７１９，４００号（チェリー（Ｃｈｅｒｒｙ））、１９９８年２月１７日発行）では、複合型ＰＥＴ／ＭＲＩシステムに使用するのに好適なＰＥＴ走査用の高解像度検出器が開示されている。
【００１９】
更に、先の刊行物及び特許は、高磁界超伝導ＭＲＩシステムを並進運動で移動できることを示している。
【００２０】
米国特許第５，７３５，２７８号（ホウルトら、１９９８年４月７日発行）では、医療処置が開示されており、この場合、磁石は、患者に対して及びシステムの他の構成要素に対して移動可能である。移動する磁石システムにより、神経外科患者の手術時のＭＲＩイメージングがより容易となり、肝臓、胸部、脊椎、及び心臓外科患者のためのさらなる用途を有する。このシステムは、以下のように使用される。
【００２１】
磁石は、最初は操作台からいくらか離れており、外科部屋の側部若しくは後部、又は場合によっては保持ベイ領域内部にあり、
イメージングが必要なときは、ＭＲＩ磁石はその保持領域から前進し、台上のイメージング位置に配置され、
画像が撮られ、磁石はその保持領域に引き込まれる。したがって、ＭＲＩシステムは、
磁石と、
その場に設置されたレールと、
磁石キャリッジ、ケーブルキャリア、及び移動手段制御システムからなる磁石移動手段システムとからなる。
【特許文献１】米国特許第５，９９８，７９２号
【特許文献２】米国特許第６，６７４，０８３号
【特許文献３】米国特許第４，９３９，４６４号
【特許文献４】米国特許第６，９４６，８４１号
【特許文献５】米国特許第５，７１９，４００号
【特許文献６】米国特許第５，７３５，２７８号
【非特許文献１】ハビブ・ザイディ及びマリールイズ・モンタンドン著、「脳のＰＥＴイメージング技術の新たな課題」（カレント・メディカル・イメージング・レビューズ）
【非特許文献２】「ＰＥＴ／ＭＲＩを用いた全身イメージング」（欧州医学研究ジャーナル）、２００４年６月３０日、３０９３１２ページ）
【非特許文献３】「同時的ＰＥＴ及びＮＭＲ」（英国放射線医学ジャーナル）、７５（２００２）、Ｓ５３Ｓ５９）
【非特許文献４】「同時的ＰＥＴ及びＭＲイメージング」（Ｙシャオら）Ｐｈｙｓ．Ｍｅｄ．Ｂｉｏｌ．、１９９７年１０月、４２（１０）、１９６５７０）
【非特許文献５】「１．５Ｔの同時的陽電子放射断層撮影及びＭＲイメージング）」（Ｋ．ファラハニら、Ｊ．Ｍａｇｎ．Ｒｅｓ．イメージング、１９９９年３月、９（３）：４９７５００）
【非特許文献６】「プロトタイプＭＲ互換性ＰＥＴスキャナーを使用した同時的ＰＥＴ及びＭＲイメージングにおけるアーチファクトの研究」（ＲＢスレーツら、Ｐｈｙｓ．Ｍｅｄ．  Ｂｉｏｌ．、１９９９年８月；４４（８）：２０１５２７）
【非特許文献７】「ＭＲ−ＰＥＴ：結合機能、生体構造など」（Ｍ．シュヴァイガー）ら、２００５年９月、メディカルソリューションズ（Ｍｅｄｉｃａｌ  Ｓｏｌｕｔｉｏｎｓ）、ｐｐ２５３０）
【発明の開示】
【発明が解決しようとする課題】
【００２２】
診察及び外科イメージング用の回転式統合型スキャナーを提供する。
【課題を解決するための手段】
【００２３】
本発明の第１態様によると、患者の一部のスキャン画像を得るためのものが提供され、
患者支持台と、
患者の一部の画像を得るための磁気共鳴イメージングシステムとを含み、磁気共鳴イメージングシステムは、
磁界を制御し変化させるための制御システムと共に使用するための磁石と、患者の一部に隣接して位置付けられるように構成されたＲＦプローブを包含する、磁界に反応して、患者の一部から核磁気共鳴信号を導き出し検出するための無線周波数伝送及び検出システムと、検出した信号を復号化し表示するためのコンピュータ及びディスプレイモニタとを含み、
磁石は、患者が台上で適所に位置付けられた状態で磁石の磁界内に横たわるように患者の一部がボア内に配置されるように構成された円筒形ボアを画定しており、
磁石は、台に対して台の長手方向に水平に移動するように装着され、装着は、患者が引き続き台上にとどまった状態で患者の一部が磁石の磁界内に配置される磁石の第１位置を提供し、
陽電子放射断層撮影走査システム（ＰＥＴ）は、磁気共鳴イメージングシステムと連動して使用するために磁石上に装着される。
【００２４】
好ましくは、ＰＥＴシステムは移動可能である。
【００２５】
好ましくは、ＰＥＴシステムは、磁石と共に共同で移動するために磁石上に装着される。
【００２６】
好ましくは、磁石は、その軸線に沿って長手方向に移動可能である。
【００２７】
好ましくは、磁石は、縦方向に移動可能である。
【００２８】
好ましくは、磁石は、縦軸を中心に１８０度回転可能である。
【００２９】
好ましくは、ＰＥＴシステムは、磁石と共に共同で移動するために磁石のボア内に装着される。
【００３０】
好ましくは、ＰＥＴシステムは、磁石の視野がＰＥＴの視野と一致するように装着される。
【００３１】
好ましくは、ＰＥＴシステムは、ボア内部で移動可能である。
【００３２】
好ましくは、ＰＥＴシステムは、一方の端部にて磁石上に装着され、磁石の移動によって、ＰＥＴが患者の一部と位置合わせされた位置に向って担持されるようになっている。
【００３３】
好ましくは、磁石は、ＰＥＴを患者に隣接した位置に向って移動するために、縦軸を中心に回転可能である。
【００３４】
好ましくは、ＰＥＴは、光信号をシンチレーション検出器から外部制御システムへ運ぶために、ボアに沿って延びる光ファイバーを包含する。
【００３５】
好ましくは、ＰＥＴは、光信号をシンチレーション検出器から外部制御システムへ運ぶために、無線通信システムを包含する。
【００３６】
好ましくは、磁石は、レールシステム上に装着され、ＰＥＴシステムは、ＰＥＴシステムが磁石に対して別々に移動するように同一のレールシステム上に装着される。
【００３７】
本発明の第２態様によると、患者の一部のスキャン画像を得るための装置が提供され、
患者支持台と、
患者の一部の画像を得るための磁気共鳴イメージングシステムとを含み、磁気共鳴イメージングシステムは、
磁界を制御し変化させるための制御システムと共に使用するための磁石と、患者の一部に隣接して位置付けられるように構成されたＲＦプローブを包含する、磁界に反応して、患者の一部から核磁気共鳴信号を導き出し検出するための無線周波数伝送及び検出システムと、検出した信号を復号化し表示するためのコンピュータ及びディスプレイモニタとを含み、
磁石は、患者が台上で適所に位置付けられた状態で磁石の磁界内に横たわるように患者の一部がボア内に配置されるように構成された円筒形ボアを画定しており、
磁石は、縦軸を中心にして回転するように装着されている。
【００３８】
好ましくは、磁石は、その軸線に沿って長手方向に移動可能である。
【００３９】
好ましくは、磁石は、縦方向に移動可能である。
【００４０】
好ましくは、磁石は、縦軸を中心に１８０度回転可能である。
【００４１】
好ましくは、磁石は、磁石の前端を患者に隣接した位置に向って移動させるために、縦軸を中心に回転可能である。
【００４２】
好ましくは、磁石は、レール上に担持された支持体上で長手方向に移動可能であり、磁石の前面の向きを変えて、レールに沿って一方向又は他方向に面することができるように、磁石を支持体に接続する回転台が提供される。
【００４３】
台は、磁石により担持された診察台であってもよく、これは、患者が診察台に横たわるとともにイメージングが実行される部屋内に延びることができる。
【００４４】
台は、磁石の相対運動のために部屋内の適所にとどまる外科用台であってもよく、これは、患者が外科用台に横たわるとともにイメージングが実行される部屋内に延びることができる。磁石は、一方の端部にて診察台を担持するとともに、他方の端部にて外科用台と協働するように構成されてもよい。
【００４５】
このシステムは、修繕した病院の建物又は新築の建物に設置される。このシステムは、１部屋又は２部屋構成で設置することができる。２部屋構成では、磁石及びＭＲＩシステムが、病院スタッフの必要に応じて２つの部屋の間で共有され、事業において費用対効果の増大をもたらす。
【００４６】
この考え方により、多くの部屋構成について論じることができる。操作部屋の台の寸法及び拡張、並びにＭＲＩスキャナーの制約によって制限された、多くの用途について論じることもできる。
【００４７】
一部の区域及び国では、患者の安全性を重視しており、外科処置が開始した後の患者の移動を禁じている。それ故に、統合型ＰＥＴ／ＭＲＩスキャナーのいかなる設計も、患者を移動する代わりに、スキャナーを移動すべきである。このスキャナーの移動は、患者が移動しない限りにおいて、全部又は一部であり得る。使用法に関するこの同じ制限は、一部の介入技術が、相当数の身体の透過又は位置合わせされた設備機器を必要とする点で、介入方法に最終的に当てはまってもよく、これは、患者の移動を行うべきでないこと暗示している。
【００４８】
更に、ＭＲＩシステムは、全方向に同等ではない磁界を有しており、軸線に沿った磁界強度は、２つの直交方向において異なる。これは、システムのＰＥＴイメージング部分が、軸外の配向に最適に位置してもよいことを意味しており、これは、統合型スキャナーの回転が重要であり得ることを示唆している。
【００４９】
本発明の構成は、統合型スキャナーを確実に最適化するためにも、ＭＲＩを回転方向及び縦方向に移動させる。
【００５０】
本発明の構成は、ＭＲＩ及びＰＥＴ性能の両方を統合したスキャナーシステムの存在を想定しており、外科、介入及び画像診断環境のための６度の運動の自由度の各々における統合型スキャナーの移動の特許を受ける。
【００５１】
回転式ＭＲＩシステムが設計されるとき、付加的な独自の多部屋レイアウト、構成、及び用途が可能である。この場合、以下の多部屋構成が、種々の可能な用途を例示するための例として使用され、これらの用途の全ては、ヘルスケア産業にとって財務的に有利である。
【００５２】
これらの超伝導磁石システムについて、クエンチ管、傾斜ケーブル、水及びヘリウムの冷却ケーブル、及び回転される必要のある様々な制御ケーブルも存在する。加えて、回転は、回転が一方向に１８０度、また全３６０度の回転が必要とされる場合、潜在的には他方向に１８０度であるように管理する必要がある。
【００５３】
磁石システムは、部屋内に１分以内に移動し、扉が数秒以内に開くので、磁石システムの使用法の有効性の制限因子は、患者を部屋に出入りさせ、必要に応じて患者に準備をさせ、イメージングについて患者と話し合いを行わせる。１回のイメージング事象ごとの程よい時間の長さは６０分であり、またそれ故に、部屋に出入りするＭＲＩスキャナーの移動は、時間値を制限するものではないことが分かる。同様に、診察及び介入手順の両方の必要性が発生するとき、多部屋システムの効率は、予定計画がより困難になる。現在、以下の構成が可能である。
【００５４】
中央磁石保持ベイが磁石及び診察患者を収容する３部屋診察構成は、３つの部屋に組織化されている。部屋１への扉が開き、磁石保持ベイが部屋１の一部になり、磁石は移動しないがその診察台に延びてもよく、患者が診察台に横たわり、イメージングが実行され、介入を行う必要が見出されず、患者が診察台を出て、磁石が保持ベイに戻って行き、他の部屋の１つで使える状態になる。次いで、磁石は、その台に引き込まれ、その部屋の扉まで回転し、他の部屋のプロセスが開始する。この場合、磁石は、レール上などで並進運動方向に移動せず、単に回転するだけである。
【００５５】
病院の隅にある２部屋システム。この場合、磁石は、回転運動及び並進運動の両方を行う。２つの９０度方向の各々において扉を有する中央磁石保持部屋が存在し、磁石は、その診察台をどちらの必要な方向にも回転させることができ、又は磁石の反対端が最初に部屋に入るように回転することもできる。この手法によって、いかなる有意な変化も磁石制御手段及びモニタリングに加えずに、既存の診察機能及び用途をいずれかの部屋で使用することができ、又は両方の部屋を手術時の部屋として役立でることができる。この２部屋コーナーシステムは、回転する磁石なしに実行することはできない。
【００５６】
同様に、非インライン種類のいかなる部屋構成も、回転する磁石を有する必要性がある。
【００５７】
加えて、インライン構成は、回転が可能な場合と同様に、増大した柔軟性を有し得る。例えば、磁石保持部屋と２つの診察部屋を中央で接合することができる。この場合、ＭＲＩシステムは、診察台が常に最初に部屋に入るように回転する。これにより、診察部屋を出来る限り小さくすることが可能になり、診察部屋の平方フィート数の点で、ＭＲＩシステムの最大密度及び最小コストが可能になる。
【００５８】
医療構造及びイメージングシステムの当業者であれば、多くの他の部屋構成を明白に想定することができる。
【００５９】
ＭＲＩ及びＰＥＴ法が単一デバイスに一体で統合される場合、直交イメージング技術を使用する統合型スキャナーを有する。以前の作業は、ＭＲ／ＰＥＴスキャナーが静止していることを想定していたのに対して、並進運動及び回転運動が可能なスキャナーは、本特許の請求項に組み込まれる独自の属性を有する。
【００６０】
以下の改良点が生じる。
【００６１】
患者及び外科チームの必要性に基づいて、１つの部屋でＰＥＴイメージングを、続いて、隣接した部屋でＭＲＩイメージングを行うことができ、その結果、医療設備の財務的な見返りが増大する。この場合、これら２部屋の中に２人の異なる患者が存在してもよく、一人の患者がＰＥＴイメージングを必要としており、もう一人がＭＲＩを必要としている。
【００６２】
外科処置中に弱い腺を撮像するとき、身体の多部位のイメージングを実行するために患者の移動を必要としないという理由で、より柔軟性のあるＰＥＴ及びＭＲの統合を考慮することができる。
【００６３】
ＰＥＴイメージング設備がＭＲＩの視野からオフセットしている場合、同時の又は略同時のイメージングにより、磁石を移動せずに、身体内の１を超える箇所に関する情報を提供することができる。
【００６４】
ＰＥＴイメージング設備がＭＲＩの視野からオフセットしている場合、まずＭＲＩ性能を使用して撮像し、磁石を移動して同一の身体部分のＰＥＴイメージング性能を実現することにより、外科チームは同一の身体部分を撮像することができ、その結果、磁石の視野の中心に対してＰＥＴシンチレータを位置決めするための設計の柔軟性が可能になる。
【００６５】
ＰＥＴ及びＭＲＩ検出器の両方が別個のサブシステムとして設計されているが同一のレールシステム上に配置されている場合、１日の異なる時間において、一定の操作部屋に単独のＰＥＴ及びＭＲＩ検出用途をもたせることが可能である。
【００６６】
ＰＥＴ及びＭＲＩ検出器の両方が利用可能である場合、またシーリング吊下げシステムが回転性能を有する場合、ＭＲＩ及びＰＥＴ検出器は、スキャナーシステムの回転運動及び並進運動によって、移動しない患者に別個に使用することができる。この場合、患者がＭＲＩ走査を受けてもよく、何かが観察され、その後に患者から磁石が取り除かれ、次いでＰＥＴシステムが患者の方を指すように磁石が回転され、その後にＰＥＴシステムが患者の上に移動され、ＰＥＴイメージングが実行される。軸方向及び非軸方向に配向された設備要素のためのＭＲＩシステムの磁界の幾つかの相違があり、これにより、スキャナーシステムの回転能力が重要となる。
【００６７】
ＰＥＴ及びＭＲＩ検出器の両方が利用可能である場合、またシーリング吊下げシステムが×座標及びｙ座標の両方に並進運動する性能を有する場合、ＰＥＴ及びＭＲＩ構成に関して、回転及び縦方向上昇、その次の様々な付加的設計が可能であってもよい。
【００６８】
付加的な移動の可能性について、均質な環境を有する磁気システムを提供するのに必要とされるシミング作業が大幅に低減される。現在、フロア内の鉄筋は、ステンレス鋼でない限り、磁気イメージングシステムに影響を及ぼす。ＭＲＩシステムが多数の方式で移動できる場合、部屋内でイメージングを提供する最適な位置を見出すことが可能である。
【００６９】
加えて、シーリング吊下げシステムを設置する別の複雑性は、台システムはフロアと共に移動するが、シーリングシステムはシーリングと共に移動することである。シーリングに何らかのたわみがあり、フロアにこのたわみがない場合、システムは互いに対して移動し、正確な高さ距離を変化させる。磁石を縦方向に移動させることにより、台と磁石との間で同一の距離を維持することができる。この手法は、その操作中に単に台を移動する代わりに、また、患者の僅かな移動でさえイメージングを変化させるか又は患者の安全性に影響を及ぼす情況の代わりに、使用される。例えば、特定の器官及び前立腺などの腺が、非常に弱いか又は非常に変性しているため、台の動作が許可されない場合がある。加えて、介入作業が行われるとき、介在する管、針又は他の装置の特定の位置が非常に敏感であるため、台の動作は推奨されない。
【００７０】
加えて、システム内に介入性能を提供することについて論じる。現在、シーメンス（Ｓｉｅｍｅｎｓ）のミヤビ（Ｍｉｙａｂｉ）台と呼ばれる技術が存在しており、これは、シーメンスの診察台上への連結を提供する。磁石が回転できる場合、これは、部屋レイアウトのワークフローの新たな自由を提供する。
【発明の効果】
【００７１】
回転システムの利点は、シーリング装着システムに関するものだけではない。フロア装着システムに関して、ＭＲＩに回転性能を提供することにより、同じ利点が可能である。
【００７２】
同様に、ＰＥＴシステムとＭＲＩシステムとの間に相対運動を有することが可能である。ＰＥＴシステムは、ＭＲＩのボアシステムの一部であってもよく、ＭＲＩの視野に対して移動することができる。このＭＲＩ視野に対する移動によって、より良好な又は改善されたイメージング性能が可能になる場合がある。
【００７３】
更に、いったん統合型スキャナーを回転すること、並進すること、又は縦方向に移動することが可能になると、付加的なスキャナー設計が可能となる。同時走査が望ましい場合、ＰＥＴの焦点領域及びＭＲＩの視野は、システムの設計及び構成により、同一場所に配置することができる。
【００７４】
統合型ＰＥＴ／ＭＲＩシステムは、いずれかのシステムが磁石の回転を提供する状態で、シーリングから吊るすか、又はフロアに装着した軸受上に装着することができる。ＭＲＩシステムはまた、レールシステムを使用した空間内で並進することもできるように、レール上でシーリングから吊るされてもよい。回転機構は、磁石とレールとの間、又はレール上方のいずれかに位置付けることができる。下方トラック及び上方トラックの回転子は、異なる構成に関する異なる特性を有する。下方トラックの回転子は、既存部位の最も簡単な性能向上を可能にさせるのに対して、上方トラックの回転子は、レール、ＭＲＩシステム及び全ての関連システムが回転するという点で、鉄道操車場における円形機関車庫のように作動する。
【発明を実施するための最良の形態】
【００７５】
図１は、回転能力を有する統合型ＰＥＴ／ＭＲＩスキャナーを示す。シーリングレール１は、レールクランプ１７を使用して構築物の構造用鋼の上にボルト留めされている。２つのシーリングレールが、磁石の幅とおおよそ同じ幅だけ離間して使用されているが、他の幅が可能である。
【００７６】
磁石移動システム２を使用して、磁石３がレール上に装着されている。磁石移動システムの上部は、レールを横に移動するが、回転はしない。磁石移動システムの下部は、上部に関して回転できるように、旋回リング１１に接続されている。旋回リング１１は、モータ駆動式であり、導入される部屋レイアウトの種類に応じて、９０度、１８０度、又は２７０度などの一定の角度にわたって磁石システムを慎重に回転させる。並進運動及び回転運動のどちらの場合も、モータ駆動システムは、磁石システムの要件に合わせて緩やかな加速及び減速を包含し得る。磁石移動システムの下部は、磁石システム１２に対する回転子を使用して、磁石にボルト留めされている。
【００７７】
旋回リング１１を使用した回転式磁石システムに関して、クエンチ管システムの回転を可能にする必要があるので、レール１上に装着された固定式クエンチ管１４と、磁石に取り付けられた回転式クエンチ管部分１３とが提供される。これらのクエンチ管は、磁石の真上及び旋回リングの中央で、磁石システムの等角点に装着された回転ユニオンを用いて互いに接合されるので、回転によってクエンチシステムに過度の応力がかかることはない。正確な等角点を確実に実現するのは困難なので、回転中に発生する応力の一部を吸収する、撓曲連結部を使用することが実践的である。
【００７８】
回転式ＭＲＩシステムに関して、回転円弧を通してケーブル布線を確実に適切に案内できるようにする必要もある。これを実行する１つの方法は、多数の管ガイドを有するケーブル管理システム１９を使用するものであり、異なるガイドが、通信ケーブル布線、電力ケーブル布線、低電圧ケーブル布線、モニタリングケーブル布線、及びヘリウム線に使用される。回転運動中のこれらのケーブル分離及びこれらのケーブル案内によって、結束及び最終的な破断が発生しないことを確実にする。またこれらの構成要素は、旋回リングを通過し、ケーブルキャリアシステム９による磁石の移動と共に、レール上に担持された構成要素に繋がる。
【００７９】
磁石移動システムは、ベルト駆動並進運動システム１８を介して移動される。このシステムは、重量を支えるためのレールの上にある輪、及びレールと接触して移動を生じさせるレール下方の駆動輪２０を使用している。重量の均等な分配及びシステムの直線的なトラッキング性能を確実にするために、駆動輪及び重量支持輪が両方のレール上に配置される。左右のベルト駆動並進運動システムが確実に調和して移動するように、それらの間には駆動軸が使用されてもよい。この場合、両方の駆動輪のセットを駆動させるために、単一のモータが使用されてもよい。安全性のために、電源異常の場合には、この動作が必要とされる場合、操作者が患者から磁石を取り除くことができるようにする手動クランク１５を有することが有用である。手動クランクの操作は、この設計の場合に限り、クラッチの係合離脱を必要とする。
【００８０】
レールによって提供される並進運動及び旋回リングによって提供される回転運動に加えて、支持体１２上での旋回リングの高さの調節により、磁石のボアの縦方向調節移動が可能である。
【００８１】
磁石は、円形の磁石ボア８を有しており、その中に台及び患者を配置してイメージングを行うことができる。シーメンス・エスプリ（Ｓｉｅｍｅｎｓ  Ｅｓｐｒｅｅ）（商標）磁石のような磁石に関して、ＭＲＩボアは、直径７０ｃｍ及び長さおよそ１２５ｃｍである。磁石は、３０ｃｍ×４５ｃｍ×４５ｃｍの視野を有する。視界は、システム内部の、高品質イメージングを発生させるボリュームであり、適切な直線性の範囲内で磁界を維持することのできるボリュームと一致する。患者の当該生体構造を視野内に配置して、イメージングを行う。
【００８２】
ＰＥＴ検出器リング５は、磁石視野と同一場所に配置されており、リング上の個々の各検出器は、繊維束６の光ファイバーを介して、磁石の上方又は周囲に位置付けられた乗算器７へ接続される。乗算器は、磁石の上に示されているが、それらは、磁石内部の代替位置に配置することができる。光ファイバーは、典型的には磁石及び関連ケーブル１０を担持するケーブルキャリア９に巻きとられ、関連ケーブル１０には、クエンチ管、ヘリウム線、水冷却材線、傾斜ケーブル、ＲＦケーブル、制御線、及び様々な用途に必要な種々の追加のモニタリング線及び検出線が挙げられ、これらはボア、カバーセット、及び他のＭＲＩ要素に取り付けられる。ケーブルキャリア及び関連ケーブル布線は、これらがシステムと共に移動するときにケーブルの適正な形状を維持するために、ケーブルキャリアガイド１６を使用している。
【００８３】
図１は、ＰＥＴ検出器リングの内側のＰＥＴイメージングボリュームがＭＲＩの視野と重なり合うために同時走査に好適な、統合型ＰＥＴ／ＭＲＩスキャナーを示す。
【００８４】
代替設計もまた可能である。例えば、ＰＥＴ検出器リングがＭＲＩボアの末端部に移動する場合、２つのイメージングシステムのイメージングボリュームは一致しておらず、このことにより２つの異なる身体部分の同時イメージングが可能になる。このスキャナー構成において同一の身体部分を非同時走査するには、患者とスキャナーとの間の相対運動が伴わなければならない。一般に、これは、１つの方法又は３つの方法の組合わせにより達成できる。
【００８５】
患者ではなく統合型ＰＥＴ／ＭＲＩスキャナーを移動すること。
【００８６】
患者を移動せずに、ＭＲＩのボア内部でＰＥＴスキャナーを移動すること。
【００８７】
患者を何らかの方法で移動すること。しかしながら、走査中は患者を決して移動しないことが好ましく、それ故、方法１及び２が好ましい。
【００８８】
図１は、回転式ＰＥＴ／ＭＲＩスキャナーを示しているものの、純粋にＭＲＩ走査の必要性のために、回転式ＭＲＩスキャナーを構築することが可能であり、ＰＥＴスキャナーを省略したものと同一の構造を使用することができる。
【００８９】
図３は、同時走査に好適な移動式ＰＥＴスキャナーの更なる詳細を示しており、図１及び２のＰＥＴ／ＭＲＩ構成と同等である。したがって、ＰＥＴ検出器リングは、ボア内部で移動するように装着される。磁石ボア８は、ＰＥＴ検出器リング５が嵌合する、５つの空隙部及び駆動レール３２を有する。このＰＥＴ検出器リングは、駆動レール３２を使用してボアを通って前後に駆動されるが、診察又は操作台３４は、これらの要素がボア内部で移動するときに衝突が生じないようにサイズ設定される。ＰＥＴ検出器リング５は、その内周に多数の個々のＰＥＴ検出器５５を有し、これは、典型的にはシンチレーションを通じてその出力を発生し、この出力は、シンチレータ検出器から乗算器７への伝送を可能にする光ファイバー６内に通される。
【００９０】
光ファイバーの配置方法に関する２つの変形が可能であり、この場合、いずれかの光ファイバーがボアの側壁を通り抜けるので、この方法は、ＰＥＴ検出器リングがボア内部で移動しない場合、又は光ファイバーがボアを直接的に通り抜けず、その代わりにボアの端部に導かれる場合のみに対して適切であり、この場合、光ファイバー管理システムは、たるみを収容することができる。この設計では、患者は、ボア８の反対端部のみから入るが、それは他方の端部が光ファイバー管理に使用されているからである。あるいは、ＰＥＴ／ＭＲＩ統合型スキャナーの両端を使用できるように、より精巧な光ファイバー管理を提供することができる。
【００９１】
上記のものに対する代替設計は、光信号の無線伝送を使用することができ、その設計において、ボアは、光の通過を可能にさせるクリア領域を有する。この構成では、ＰＥＴ検出器リングは、光ファイバー内に及び乗算器に直接的に伝送するために、光ファイバーに好適なＥＭ波長を発生させる。
【００９２】
あるいは、ＰＥＴスキャナー及び磁石視野が互いに関して適所に固定されたシステムを提供することができ、その代わりに統合型スキャナー全体が移動する。この場合、統合型スキャナーは、シーリングレール上で移動し、既に説明した方式で縦方向に回転又は移動する。
【００９３】
図２は、回転式ＭＲＩ遮蔽カバーセットを示す。ＭＲＩに使用される磁石用のこのようなカバーの従来の設計は、当業者に周知である。このカバーセットは、回転しない上部２１と回転する下部２２とを備えて設計されており、２つの部分は、回転シーム２３にて分離された状態である。
【００９４】
図２はまた、磁石の左側から延出する診察台２４を使用する構成を示す。シーメンス・エスプリ（Ｓｉｅｍｅｎｓ  Ｅｓｐｒｅｅ）（商標）磁石特定の場合に関して、診察台は、磁石に取り付けられ、画像診断のために磁石の内外に移動することができる。図はシステムの制御盤２５も示す。この場合、ケーブルにより磁石に接続されたペンダント制御手段２６を包含する、磁石に設置された一組の制御手段が存在する。
【００９５】
図４は、成人及び子供の両方に役立つ２部屋構成で、並進運動、回転運動及び縦移動するスキャナーが使用されたフロアレイアウトを示す。図７ａは、第１部屋４１が引き戸２３を介して第２部屋４２から分離された２部屋レイアウトを示しており、ここで患者及び医療チームは、患者入口４４を介して部屋に接近する。統合型スキャナーは、これら２部屋の間で移動することができる。
【００９６】
図４は、この統合型スキャナーに関する２つの位置を示す。レール１により、スキャナーは部屋間を移動できるようになる。外科用イメージング位置に向かって移動するときの部屋４１内のスキャナー位置が示されており、スキャナー３は台５０上を移動し、シーメンス（Ｓｉｅｍｅｎｓ）診察台２４は、例えばシーメンス・エスプリ（Ｓｉｅｍｅｎｓ  Ｅｓｐｒｅｅ）（商標）の慣例に従って、スキャナーの後側に取り付けられる。この同じスキャナーは、必要な場合、部屋４２内の第２位置へ移動することができ、スキャナー３を回転させて、介入作業のために診察台２４を配置することができる。この回転は、第２部屋４２内で必要とされる空間及びアクセスの量を最小限に抑えることにより、システムの実用性を増大させる。
【００９７】
イメージングシステムの２部屋間の移動は、ＭＲＩシステムのシミング要件の複雑さ、即ち、ＭＲＩ実験に必要な信号及び磁界の遮蔽を提供することの困難さを増大することになる。また、たとえ様々な部屋内部の特定位置がＭＲＩ用としてシームすることが困難であっても、それでも尚、それら特定位置は、ＰＥＴイメージング用として使用することができ、様々な部屋構成におけるシステムの実用性の増大をもたらす。
【００９８】
図５は、３部屋診察構成を示しており、ここで中央磁石保持ベイ６０は磁石６１を収容しており、診察患者は、３つの部屋６２、６３及び６４内に入れられる。３つの部屋から選択される１つの部屋６２への扉６５は、磁石保持ベイが部屋６２の一部になるように、例えば、片側に引き込むことにより開くことができ、磁石は移動しないがその診察台６６に延びてもよく、患者は、診察台に横たわり、イメージングが実行され、介入を行う必要がないことが見出され、患者は診察台を出て、磁石は保持ベイに戻り、他の部屋の１つで使える状態にする。次いで、磁石は、その台６６に引き寄せられてもよく、その部屋の扉まで回転し、他の部屋のプロセスが開始する。この場合、磁石は、レール上などで並進運動方向に移動せず、単に回転のみである。
【００９９】
必要に応じて、ＰＥＴが所定の位置に移動できるように、前面はＰＥＴ走査システムを担持している。ＰＥＴシステムが使用されない場合、前面は、磁石が対称的ではなく、患者の位置に前面が移動する必要があるように構成されてもよい。
【０１００】
代替の構成では、磁石は、レールシステム上に装着されており、これに沿って支持体が転がることができ、この上に旋回リングが担持されるので、磁石をその縦軸を中心にして回転させることが可能になる。この方法では、磁石の前面は、部屋に面するように移動することができる。この実施形態では、患者台は、磁石が台まで移動するとともに台に関して移動するように、それぞれの部屋に位置付けられる。
【０１０１】
加えて、回転可能な場合と同様、インライン構成は、増大した柔軟性を有し得る。例えば、磁石保持部屋と２つの診察部屋を中央で接合することができる。この場合、ＭＲＩシステムは、診察台が常に最初に部屋に入るように回転する。これにより、診察部屋を出来る限り小さくすることが可能になり、診察部屋の平方フィート数の点で、ＭＲＩシステムの最大密度及び最小コストが可能になる。
【０１０２】
単にシーリングからＭＲＩ磁石を吊るすことには利点がある。フロア装着の代わりに、磁石を吊るしたとき、振動の影響を低減することが可能であり、低減された振動及び改善された信号対雑音性能をもたらす。
【０１０３】
診察部屋への入室時又はその診察部屋と協働する磁石の回転時、その部屋内で患者が台を利用できるように、磁石は、一方の端部に診察台を担持するように構成されてもよいことが理解されるであろう。外科的状況では、磁石は、外科処置を継続可能とするために磁石を移動させるときには部屋内にとどまる、部屋に存在する台と協働するように構成される。ハイブリッド状況では、磁石は、一方の端部にて台を担持し、他方の端部にて外科台と協働するように構成されてもよく、台がその縦軸を中心として回転することが必要となる。
【０１０４】
壁面遮蔽の必要性があるが、それは、磁石が回転するとき、磁界が壁面の他方の側に通り抜け、通路又は他の領域に衝突する可能性があるためである。この影響を制限するのに使用できる方法としては、追加の金属を壁面に使用して遮蔽を提供する標準的な手法、壁面に埋め込んだ、回転動作が発生する時に限りオンになる有効コイルの使用、ＭＲＩ有効コイルの動力循環が挙げられ、ここで磁界がそれほど遠くまで延びないよう、磁石上の有効コイルの電流が増大するか又は低下する。
【０１０５】
クエンチ管の設計において、クエンチ管は、回転質量の等角点を通過するように設計されなければならない。
【０１０６】
ケーブル取り回し設計において、ケーブル布線は、１８０度回転するように設計される。ケーブルの取り回しを行う１つの方法は、ケーブル布線を９０度に事前に経路設定した後、最大ケーブル曲げが＋／９０度であり、１８０度の全回転を達成することである。この場合、ケーブルは通常、その耐用期間の間、９０度の曲げ半径である。あるいは、磁石上のケーブルを、固定された壁面装着位置へと後方に延びるケーブルに連結するための、１８０度回転結合を可能にする回転プレートを設計することが可能である。
【産業上の利用可能性】
【０１０７】
本明細書に記載の構成は、以下の特徴及び利点を提供する。
【０１０８】
円形の旋回リングを使用することによってリングの磁石効果が回転中に均質であるようになっており、これによって、磁石のシミングソフトウェアへの影響を最小限に抑えることが可能である。
【０１０９】
エスプリ（Ｅｓｐｒｅｅ）磁石に関して、回転前に診察台を引き込んで、最小回転半径、回転するモータの最小ひずみ、及び操作者の安全性に対する最大値を可能にすることが有用である。診察台が磁石の外に更に延出する場合、操作者と回転するシステムとの間の衝突、又は回転するシステムと部屋内部の設備機器との間の衝突の確率が増大するであろう。
【０１１０】
回転を可能にするため、磁石のカバーセットは、カバーセットを磁石上に保持するブラケットと共に、回転しないカバーセットの上部と、磁石と共に回転するカバーセットの下部とを提供する。
【０１１１】
回転性能を最適化するために、プログラム化した方法及びプログラム可能な方法で緩やかに加速及び減速するモータシステムが提供される。磁石上に加わる始動力及び停止力が過度である場合、振動が発生する可能性があり、耐用期間が潜在的により短くなる可能性がある。
【０１１２】
回転するシステムの安全性を最適化するために、制御システムは、適切な配向、位置、扉の状態、又は他の特定の状態が環境に適合しない限り回転が起きないようにする「ロックアウト」を含む。このロックアウト性能は、環境が回転を受ける準備が整っていない場合に、磁石が回転できないようにする。
【図面の簡単な説明】
【０１１３】
【図１】縦軸を中心にした回転を可能にする能力を有するとともにＰＥＴ検出システムの追加を提供する、ＭＲＩ磁石の側面図である。
【図２】説明の都合上、図１から省略されたカバー及び診察台の更なる詳細を示す、図１の磁石の側面図である。
【図３】ボア内部のＰＥＴ検出器リングを示す図１の磁石のボアの断面図である。
【図４】２部屋構成で装着された図１の磁石システムの概略平面図である。
【図５】３部屋構成で装着された図１の磁石システムの概略平面図である。
【図１】
2009540882.tif 000003
【図２】
2009540882.tif 000004
【図３】
2009540882.tif 000005
【図４】
2009540882.tif 000006
【図５】
2009540882.tif 000007
【国際調査報告】
2009540882.tif 000008
2009540882.tif 000009